(57)【特許請求の範囲】
【請求項１】
内容液を収容する容器本体と、前記容器本体の注出口に取り付けられた中栓部材と、前記中栓部材に形成されている注出孔と、前記中栓部材の上面の中央に設けられ中央に前記注出孔が設けられている刷毛用台部と、前記刷毛用台部の上面の前記注出孔の周囲に円周状に等間隔に設けられた複数個の植毛穴と、前記植毛穴に固定され複数本の毛が束ねられた刷毛が設けられ、前記注出孔の中にはロッドが重力により摺動可能に設けられ、前記ロッドの前記容器本体側の端部には径が大きいテーパ面であるシール部が設けられ、前記注出孔の内周面には前記ロッドの前記シール部が液密に当接するテーパ面であるシール面が設けられ、前記ロッドの長さは、前記容器本体を倒立させた状態で前記ロッドの前記シール部が前記注出孔の前記シール面に当接したときに前記ロッドの先端が前記注出孔から突出して前記刷毛の先端付近まで達するものであり、この塗布容器の前記容器本体を倒立させることにより、前記ロッドが前進して前記シール部が前記シール面に接触して内容液の流出を防止し、かつ前記容器本体を倒立した状態で前記刷毛を塗布面に接触させ押圧すると、前記ロッドが押し込まれて前記シール部が開口して内容液が前記注出孔を通過して外側に出て、前記容器本体を動かして前記刷毛の先端で前記塗布面に広げることを特徴とする刷毛付き塗布容器。
【請求項２】
前記刷毛付き塗布容器には、前記中栓部材を覆って前記容器本体に螺合されるキャップが設けられ、前記キャップには、前記中栓部材に取り付けたときに前記中栓部材の前記注出孔に差し込まれ液密に閉鎖するボスが設けられていることを特徴とする請求項１記載の刷毛付き塗布容器。
【請求項３】
前記中栓部材には係止部が設けられ、前記キャップには前記係止部が係合される被係止部が設けられ、前記中栓部材は、前記係止部と前記被係止部が係合することにより、前記キャップとは前記刷毛が接触することなく且つ前記キャップの前記ボスが前記中栓部材の前記注出孔に密栓された状態で前記キャップに固定され、固定された状態のまま前記容器本体に螺合可能であることを特徴とする請求項２記載の刷毛付き塗布容器。
【発明の詳細な説明】
【技術分野】
【０００１】
この発明は、液体の薬剤を収容し、収容している薬剤を注出して目的の場所に塗布する刷毛付き塗布容器に関する。
【背景技術】
【０００２】
従来、かゆみ止め等の液体の薬剤は、皮膚に塗布する刷毛が取り付けられた刷毛付き塗布容器に収容されているものがある。このような刷毛付き塗布容器は、容器を倒立させたときに液ダレせず、塗布するときだけ液が出せるよう弁機構が設けられている。このような刷毛付き塗布容器は、以下のように、種々のものが提案されている。
【０００３】
例えば、特許文献１に開示されている液塗布容器は、塗布液を収容した容器と、容器の口筒部に嵌着され、中央に開孔を穿孔した中栓と、該中栓に対してばねを介して上下動自在に装着された塗布部材と、塗布部材を覆い、容器の口筒部に螺着されるキャップとを備えた塗布容器である。前記塗布部材は、中栓の開孔を開閉するシール筒を備えた基台と、該基台に取着され、基端に注出弁孔を設け、先端に注出孔を設けた注出筒とを備えており、シール筒内に注出弁孔を開閉するボール弁を挿入支持させ、注出筒内に上下動してボール弁と係合する作動杆を軸支したものである。
【０００４】
特許文献２に開示されている液塗布容器における刷毛カバーを被覆した塗布容器は、中栓と刷毛を具えた塗布部材と、刷毛カバーとからなる液塗布容器の部品組立体において、塗布部材が、刷毛カバーの取付部を設けた基台と刷毛を立設した塗布具とからなり、刷毛カバーは、下端に基台の取付部に係合する取付筒を垂設した側周壁と、頂壁を具えているものである。これによれば、容器として組み立てられるまで塗布部材だけをバラ入れで箱詰めし、保管・輸送される際に刷毛が折れ曲がることを防ぐ。また、充填ラインで容器に塗布部材を取り付けるときに刷毛を破損する恐れがない。
【０００５】
特許文献３に開示されている刷毛付き塗布容器は、塗布液を収容した容器と、容器の口筒部に装着され、中央に注出孔を穿設した中栓と、中栓の内部に載置される弁部材と、中栓の上部に装着される刷毛を備えた塗布部材と、塗布部材に装着された押しピンと、塗布部材を覆うキャップとを備えた刷毛付き塗布容器である。塗布部材は、内周で押しピンの上下動を案内する案内筒と、案内筒の外周上端部に連設された上壁と、上壁下面に垂設され、中栓の上部に係合する係合筒と、上壁上面に多数立設された刷毛とを具えているものである。
【先行技術文献】
【特許文献】
【０００６】
【特許文献１】特開２００４−２５０６５号公報
【特許文献２】特開２００４−２６２４３号公報
【特許文献３】特開２００８−１３６９１７号公報
【発明の概要】
【発明が解決しようとする課題】
【０００７】
上記背景技術の場合、特許文献１に開示された容器の場合、塗布容器を倒立させるとボール弁が内容液の液圧と自重により下降して注出弁孔を閉鎖するものであるが、閉鎖が不十分であり確実に水密にならず、液漏れする恐れがある。しかも、塗布容器を倒立させてボール弁を開口するために作動杆が設けられ、部品点数が多く構造が複雑であった。
【０００８】
また、特許文献２に開示されたものは、塗布部材の刷毛に取り付ける刷毛カバーを設けるものであり、これを塗布容器に用いることは、部品点数が多くなるものであった。
【０００９】
特許文献３に開示された容器は、塗布容器を倒立させ押しピンを押しこむことで弁部材を変形させて開口が形成され、押しピンの当接を解くと、弁部材の復元力により開口を閉じるもので、シール性が十分ではなかった。また、使用しないときはキャップで密閉されるため外側に漏れることはないが、キャップ内には内容液がついて汚れる恐れがあった
この発明は、前記従来の技術の問題点に鑑みてなされたものであり、簡単な構造で部品点数が少なく製造が容易であり、確実に液密に内容物を収容することができる刷毛付き塗布容器を提供することを目的とする。
【課題を解決するための手段】
【００１０】
本発明は、内容液を収容する容器本体と、前記容器本体の注出口に取り付けられた中栓部材と、前記中栓部材に形成されている注出孔と、前記中栓部材の上面の中央に設けられ中央に前記注出孔が設けられている刷毛用台部と、前記刷毛用台部の上面の前記注出孔の周囲に円周状に等間隔に設けられた複数個の植毛穴と、前記植毛穴に固定され複数本の毛が束ねられた刷毛が設けられ、前記注出孔の中にはロッドが重力により摺動可能に設けられ、前記ロッドの前記容器本体側の端部には径が大きいテーパ面であるシール部が設けられている。前記注出孔の内周面の、前記容器本体側の端部には、前記ロッドの抜け落ちを防止する係止凸部が設けられ、前記注出孔の内周面には、前記ロッドの前記シール部が液密に当接するテーパ面であるシール面が設けられている。そして、この刷毛付き塗布容器の前記容器本体を倒立させることにより、前記ロッドが前進して前記シール部が前記シール面に当接して内容液の流出を防止し、かつ前記容器本体を倒立した状態で前記刷毛を塗布面に接触させて押圧すると、前記ロッドが押し込まれて前記シール部が開口し、内容液が前記注出孔を通過して外側に出て、前記容器本体を動かして前記刷毛の先端で前記塗布面に広げることが可能となる。
【００１１】
また、前記ロッドの長さは、前記容器本体を倒立させた状態で前記ロッドの前記シール部が前記注出孔の前記シール面に当接したときに前記ロッドの先端が前記注出孔から突出して前記刷毛の先端付近まで達するものである。
【００１２】
また、前記刷毛付き塗布容器には、前記中栓部材を覆って前記容器本体に螺合されるキャップが設けられ、前記キャップには、前記中栓部材に取り付けたときに前記中栓部材の前記注出孔に差し込まれるボスが設けられている。前記容器本体を正立させたときに前記ロッドが前記注出孔の中に収容され、この状態で前記キャップを閉めると前記注出孔に前記キャップの前記ボスが嵌合して液密に閉鎖する。
【００１３】
また、前記中栓部材には外側に突出する係止突起等の係止部が設けられ、前記キャップには前記係止部が係合される凹部等の被係止部が設けられている。前記中栓部材は、前記係止部と前記被係止部が係合することにより、前記キャップとは前記刷毛が接触することなく且つ前記キャップの前記ボスが前記中栓部材の前記注出孔に密栓された状態で前記キャップに固定され、固定された状態のまま前記容器本体に螺合される。
【発明の効果】
【００１４】
本発明の刷毛付き塗布容器は、弁機構が簡単な構造であり、部品点数が少なく製造が容易であり、確実に液密に内容物を収容することができる。また、刷毛の取り扱いも容易であり、刷毛部分に損傷を与えることなく、容器の製造が可能となる。
【図面の簡単な説明】
【００１５】
【図１】この発明の一実施形態の刷毛付き塗布容器の部分拡大縦断面図である。
【図２】この実施形態の刷毛付き塗布容器の組み立て工程を示す部分拡大縦断面図である。
【図３】この実施形態の刷毛付き塗布容器の使用状態を示す斜視図である。
【図４】この実施形態の刷毛付き塗布容器の使用状態を示す部分拡大縦断面図である。
【図５】この実施形態の刷毛付き塗布容器の使用状態を示す部分拡大縦断面図である。
【図６】図１Ａ−Ａ線断面図である。
【図７】図１Ｂ−Ｂ線断面図である。
【発明を実施するための形態】
【００１６】
以下、この発明の実施形態について図面に基づいて説明する。図１〜図５はこの発明の一実施形態を示すもので、この実施形態の刷毛付き塗布容器１０は、やや硬い合成樹脂製の有底筒状の容器本体１２が設けられている。容器本体１２の上端部は、円筒形の注出口１４が、一体に形成されている。注出口１４の外周面には、後述するキャップ４４が螺合される雄ねじ１６が形成されている。
【００１７】
注出口１４の上端部には、中栓部材１８が取り付けられている。中栓部材１８は、注出口１４の内周面に嵌合される内筒部２０が設けられ、内筒部２０の上端部には、注出口１４の上端部を閉鎖する板部２２が設けられている。板部２２の周縁は、注出口１４の外周面に延出し、板部２２の周縁部には注出口１４の外周面に嵌合する外筒部２４が一体に形成されている。板部２２の上面２２ａの中央には刷毛用台部２６が設けられ、刷毛用台部２６は、中栓部材１８と反対側に突出する円柱形である。刷毛用台部２６の上面中央には、注出孔２８が設けられている。注出孔２８は、刷毛用台部２６を貫通して板部２２の下面２２ｂに開口し、下面２２ｂには、注出孔２８の周囲を囲んで内筒部２０と平行に突出するガイド筒部２９が設けられている。ガイド筒部２９の内径は、注出孔２８よりも大きくなっている。ガイド筒部２９の内径と注出孔２８の内径の段差はテーパ面であり、後述するロッド３６のシール部３８が当接するシール面３１となる。ガイド筒部２９の先端部には、内側に突出する係止凸部３０が一体に形成されている。
【００１８】
刷毛用台部２６の上面には、注出孔２８の周囲に、円周状に等間隔に８個の刷毛３２が取り付けられている。刷毛３２は、図示しない平栓によって複数本の毛が束ねられた状態で、刷毛用台部２６の植毛穴に固定される。各毛の先端は、先が細くなっている。
【００１９】
ガイド筒部２９には、ガイド筒部２９の突出方向に沿って３個のスリット３４が形成されている。スリット３４は、図７、図８に示すようにガイド筒部２９の円周方向に沿って、３等分した位置に設けられ、図１のＡ−Ａ線より下方から始まり、ガイド筒部２９の下端部に貫通している。
【００２０】
注出孔２８、ガイド筒部２９の中には１本のロッド３６が挿通されている。ロッド３６は重力でスムーズに移動し、且つシール時の負荷を加えやすいよう、ステンレスや真鍮等の金属等で、比重の大きい部材を使用することが好ましい。あるいは、合成樹脂と比重の大きな部材を組み合わせたものであってもよい。ロッド３６の形状は断面形状が一定の円柱形であり、注出孔２８とガイド筒部２９を摺動可能なゆとりを有する太さである。注出孔２８側の端部は、半球形に外側に突出して形成されている。ガイド筒部２９側の端部には外側に広がるシ−ル部３８が一周して設けられ、シール部３８は、ガイド筒部２９のシール面３１に液密に当接するテーパ面である。シール部３８の外径はガイド筒部２９の係止凸部３０の内径よりも大きいため、ガイド筒部２９から抜け落ちることがない。ロッド３６の長さは、ロッド３６のシール部３８が注出孔２８のシール面３１に当接した時、先端部が注出孔２８から突出して刷毛３２の先端とほぼ同じ高さになるものである。
【００２１】
板部２２の上面２２ａには、内筒部２０と外筒部２４の中間に対向する位置に、立上部４０が設けられている。立上部４０は、刷毛用台部２６の周囲を一周する筒形状となっている。立上部４０の外周面の上端部近傍には、外側へ突出する係止突起４２が一周して形成されている。
【００２２】
容器本体１２の注出口１４には、中栓部材１８を覆うキャップ４４が、雄ねじ１６に螺合されて取り付けられている。キャップ４４は、刷毛３２の先端より外側に位置する天面部４６が設けられ、天面部４６の中央には、中栓部材１８の注出孔２８に先端が挿通されるボス４８が一体に形成されている。ボス４８は円柱形であり、先端に近づくにつれてわずかに細くなるテーパ状であり、ボス４８の先端部は、半球状に突出して形成されている。天面部４６の周縁部は、中栓部材１８の外筒部２４と容器本体１２の注出口１４を覆う円筒状の側面部５０が一体に形成されている。側面部５０の内周面には、中栓部材１８の係止突起４２に対向する位置に、係止突起４２が係合される凹部５２が設けられている。側面部５０の内周面の容器本体１２の雄ねじ１６に対向する位置には、雄ねじ１６に螺合される雌ねじ５４が一体に形成されている。
【００２３】
次に、この実施形態の刷毛付き塗布容器１０の組立方法について説明する。まず、中栓部材１８にロッド３６をセットする。ロッド３６は、ガイド筒部２９の先端側から圧入することでロッド３６のシール部３８がガイド筒部２９の係止凸部３０を乗り越えて入れられ、抜け落ちることがない。図２に示すように、まず中栓部材１８をキャップ４４に入れて押し込み、中栓部材１８の係止突起４２をキャップ４４の凹部５２に係止して連結する。刷毛３２は、キャップ４４の天面部４６の下に収容され、他部材に接触して乱れることなく保護される。この状態で、容器メーカーから薬剤を入れる製薬メーカーに搬送される。
【００２４】
製薬メーカーでは、容器本体１２に内容液である薬剤を注入し、中栓部材１８を取り付けたキャップ４４を、内容液を入れた容器本体１２の注出口１４に螺合して閉鎖する。これにより、キャップ４４に係合されていた中栓部材１８は、内筒部２０が注出口１４内周面に嵌合されて液密性を保持するとともに、外筒部２４内側面の係止部と注出口１４の外周凹部とが係合して、容器本体１２に固定される。
【００２５】
そして、この薬剤の使用者が、刷毛付き塗布容器１０から内容液を取り出すとき、まず刷毛付き塗布容器１０のキャップ４４の螺合を解除して外す。キャップ４４は中栓部材１８に係止されているが、外筒部２４内側面の係止部と注出口１４の外周凹部との係合力に比べて弱いため、係合力は弱いため、キャップ４４を外すときに係止が解除され、中栓部材１８は容器本体１２に取り付けられた状態で残る。ロッド３６のシール部３８は中栓部材１８の注出孔２８のシール面３１から離れ、注出孔２８は開かれている。そして図３に示すように容器本体１２を倒立させる。このとき、図４に示すようにロッド３６は自重で移動し、ロッド３６のシール部３８が中栓部材１８の注出孔２８のシール面３１に閉じられ、内容液が出ない。そして刷毛３２を皮膚などの塗布したい面にあてて押す。すると、図５に示すように刷毛３２が曲がり、ロッド３６が押し込まれ、ロッド３６のシール部３８が注出孔２８のシール面３１から開き、内容液がスリット３４からガイド筒部２９内に流入し、注出孔２８を通過して外側に出る。そして容器本体１２を動かして刷毛３２の先端で皮膚に広げる。使い終わって容器本体１２を元の正立状態に戻すと、ロッド３６は自重で下降し、注出口２８は開口される。この状態でキャップ４４を取り付けると、キャップ４４のボス４８が中栓部材１８の注出孔２８に挿通されて液密に閉鎖し、不用意に内容液が出ることがない。なお、ロッド３６は自重で下降し、注出孔２８は開口されている。
【００２６】
この実施形態の刷毛付き塗布容器１０によれば、構造が簡単で組み立てが容易であり、弁機構がロッド３６だけで構成され部品点数が少なく生産性に優れている。刷毛３２は、組み立て工程の最初の工程で中栓部材１８をキャップ４４に係合してキャップ４４に保護される。これにより、容器本体１２に取り付けられる前にバラで箱詰めされても刷毛３２が絡まったり折れ曲がったりすることがなく、損傷することがない。また、容器本体１２への取付工程も簡単となる。
【００２７】
また、刷毛３２が他の部品に引っかかって組み立て効率が低くなることがなく、毛先を傷めることがない。さらに、内容液を取り出すとき容器本体１２を倒立させて刷毛３２を皮膚に押し付けて曲げるだけで、簡単に取り出すことができる。ロッド３６は、倒立した時に注出孔２８のシール面３１に当接して液密となり、内容液が不用意に出ることを防ぎ、刷毛３２を曲げて押し込まれた時は、確実に開き円滑に内容液を取り出すことができる。ガイド筒部２９はスリット３４から液が流入し、容易に内容液を注出することができる。使用しないときはキャップ４４を取り付けるだけで液密に閉鎖され、簡単で確実な密栓が可能である。
【００２８】
なお、この発明の刷毛付き塗布容器は、前記実施の形態に限定されるものではなく、各部材の形状等適宜変更であり、例えば中栓部材の係止突起とキャップの凹部の形状は、互いに確実に係合し一定の力がかかると解除するものであればよい。刷毛の位置や束の数、雄ねじ雌ねじ等も、自由に変更可能である。
【符号の説明】
【００２９】
１０  刷毛付き塗布容器
１２  容器本体
１４  注出口
１８  中栓部材
２６  刷毛用台部
２８  注出孔
２９  ガイド筒部
３０  係止凸部
３１  シール面
３２  刷毛
３４  スリット
３６  ロッド
３８  シール部
４２  係止突起
４４  キャップ
４８  ボス
５２  凹部
【図１】
0005545641.tif 000002
【図２】
0005545641.tif 000003
【図３】
0005545641.tif 000004
【図４】
0005545641.tif 000005
【図５】
0005545641.tif 000006
【図６】
0005545641.tif 000007
【図７】
0005545641.tif 000008